(57)【要約】本発明に係るホブが主動回転可能な硬岩坑道トンネル掘進機は、履帯走行装置が設けられたフレームを含み、フレームには油圧ポンプステーション及びそれに接続された高圧研磨材ジェット発生システムが設けられ、フレームの一端には伝動箱が固定して設けられ、伝動箱の両側にはそれぞれ２つの入力軸及び１つの出力軸が設けられ、入力軸には遊星減速歯車が接続され、遊星減速歯車の入力端にはカンチレバー盤駆動モータが接続され、出力軸にはカンチレバー盤が固定され、カンチレバー盤には４つのカンチレバーがヒンジ接続され、カンチレバー盤にはカンチレバー駆動モータがさらに設けられ、カンチレバーのカンチレバー盤から離間した一端には主動回転ホブ装置が設けられ、伝動箱には回転シール装置がさらに設けられ、坑道又はトンネルの工事に硬岩が存在する場合においても、深刻な機器摩耗、低岩石破砕効率、及び大量の粉塵の問題を解決でき、硬岩坑道の安全で効率的かつ低コストの掘進を達成できる。【選択図】図１
2021515119.tif 000002
【特許請求の範囲】
【請求項１】
履帯走行装置（１）が設けられたフレーム（２）を含み、前記フレーム（２）には油圧ポンプステーション（３）及びそれに接続された高圧研磨材ジェット発生システム（４）が設けられ、前記フレーム（２）の一端には伝動箱（７）が固定して設けられ、前記伝動箱（７）の両側にはそれぞれ２つの入力軸（７−２）及び１つの出力軸（７−４）が設けられ、前記入力軸（７−２）には遊星減速歯車（６）が接続され、前記遊星減速歯車（６）の入力端にはカンチレバー盤駆動モータ（５）が接続され、前記出力軸（７−４）にはカンチレバー盤（８）が固定され、前記カンチレバー盤（８）には４つのカンチレバー（９）がヒンジ接続され、前記カンチレバー盤（８）には前記カンチレバー（９）の回転角度を制御するカンチレバー駆動モータ（１０）がさらに設けられ、前記カンチレバー（９）の前記カンチレバー盤（８）から離間した一端には主動回転ホブ装置（１１）が設けられ、前記伝動箱（７）には回転シール装置（１２）がさらに設けられ、前記回転シール装置（１２）は、前記油圧ポンプステーション（３）、前記高圧研磨材ジェット発生システム（４）にそれぞれ管路を介して接続され、前記カンチレバー盤駆動モータ（５）は前記油圧ポンプステーション（３）に管路を介して接続され、前記主動回転ホブ装置（１１）及び前記カンチレバー駆動モータ（１０）は、それぞれ前記伝動箱（７）に管路を介して接続されていることを特徴とする、ホブが主動回転可能な硬岩坑道トンネル掘進機。
【請求項２】
前記回転シール装置（１２）は、第２ハウジング（１２−１）と、第２ハウジング（１２−１）に適合したシール軸（１２−２）を含み、前記第２ハウジング（１２−１）には作動油入口（１２−１−１）、作動油戻し口（１２−１−２）、及び第１高圧研磨材液体入口（１２−１−３）が設けられ、前記シール軸（１２−２）には前記作動油入口（１２−１−１）に連通する第１給油流路（１２−２−１）、前記作動油戻し口（１２−１−２）に連通する第１油戻し流路（１２−２−２）、及び前記第１高圧研磨材液体入口（１２−１−３）に連通する第１研磨材液体流路（１２−２−３）がそれぞれ設けられ、前記作動油入口（１２−１−１）及び前記作動油戻し口（１２−１−２）は、前記油圧ポンプステーション（３）に接続され、前記第１高圧研磨材液体入口（１２−１−３）は、前記高圧研磨材ジェット発生システム（４）に接続される。前記シール軸（１２−２）には前記第１給油流路（１２−２−１）、前記第１油戻し流路（１２−２−２）及び前記第１研磨材液体流路（１２−２−３）を隔離する複数の第１シールリング（１２−３）が設けられていることを特徴とする、請求項１に記載のホブが主動回転可能な硬岩坑道トンネル掘進機。
【請求項３】
前記伝動箱（７）は、第１ハウジング（７−１）と、前記第１ハウジング（７−１）内に設けられた伝動歯車（７−３）とを含み、前記入力軸（７−２）は、前記伝動歯車（７−３）を介して前記出力軸（７−４）に伝動接続され、前記出力軸（７−４）内に前記第１給油流路（１２−２−１）に連接する第２給油流路（７−４−１）、前記第１油戻し流路（１２−２−２）に連通する第２油戻し流路（７−４−２）、及び前記第１研磨材液体流路（１２−２−３）に連通する第２研磨材液体流路（７−４−３）がそれぞれ設けられ、前記第１ハウジング（７−１）は、前記第２ハウジング（１２−１）に固定接続され、前記出力軸（７−４）は、前記シール軸（１２−２）に固定接続されていることを特徴とする、請求項２に記載のホブが主動回転可能な硬岩坑道トンネル掘進機。
【請求項４】
前記主動回転ホブ装置（１１）は、二重延出軸（１１−３）が設けられた駆動モータ（１１−１）を含み、前記駆動モータ（１１−１）は前記カンチレバー（９）に固定され、前記二重延出軸（１１−３）の前延出端（１１−４）にホブ（１１−５）が接続され、前記二重延出軸（１１−３）の後延出端（１１−６）に第２シールリング（１１−１１）が設けられ、シールハウジング（１１−７）によりシールされ、前記シールハウジング（１１−７）は、前記駆動モータ（１１−１）に固定され、前記駆動モータ（１１−１）の油入・戻し口は、ホースを介して前記第２給油流路（７−４−１）及び前記第２油戻し流路（７−４−２）にそれぞれ連通し、前記二重延出軸（１１−３）内に第３研磨材液体流路（１１−８）が設けられ、前記ホブ（１１−５及び前記シールハウジング（１１−７）にそれぞれ前記第３研磨材液体流路（１１−８）に連通する第４研磨材液体流路（１１−９）及び第２高圧研磨材液体入口（１１−２）が設けられ、前記第２高圧研磨材液体入口（１１−２）は、ホースを介して前記第２研磨材液体流路（７−４−３）に連通し、前記ホブ（１１−５）の外縁には複数のノズル（１１−１０）が設けられ、前記ノズル（１１−１０）は、前記第４研磨材液体流路（１１−９）に連通していることを特徴とする、請求項３に記載のホブが主動回転可能な硬岩坑道トンネル掘進機。
【請求項５】
前記ホブ（１１−５）の中心軸線と前記カンチレバー盤（８）の中心軸線との夾角は１５°−３０°であることを特徴とする、請求項４に記載のホブが主動回転可能な硬岩坑道トンネル掘進機。
【請求項６】
前記第１シールリング（１２−３）及び前記第２シールリング（１１−１１）の材料は、いずれもポリテトラフルオロエチレンであることを特徴とする、請求項４に記載のホブが主動回転可能な硬岩坑道トンネル掘進機。
【発明の詳細な説明】
【技術分野】
【０００１】
本発明は、トンネル掘進機装置分野に関し、具体的には、ホブが主動回転可能な硬岩坑道トンネル掘進機に関する。
【背景技術】
【０００２】
エネルギー産業は国民経済の基幹産業であり、技術集約型産業でもある。「安全、効率的、低炭素」は、現代のエネルギー技術の特徴を具体化し、将来のエネルギー技術の高みをつかむための主な方向である。中国では、独立した革新能力の強化に焦点を当て、無制限の技術を使用して限られたエネルギーと資源の制約を解決し、エネルギー資源の安全で効率的な開発の改善に努め、エネルギー生産と利用方法の変革を促進することが要求されており、エネルギー探査と鉱業技術を４つの主要な開発分野の１つにする計画である。２００ＭＰａの岩石の圧縮強度に適した掘進機、効率的な地下発電、岩盤破砕システムなど、複雑な地質条件下での安全、効率的、経済的、環境にやさしい採鉱技術と機器の開発が明らかに要求されている。鉱山採掘、トンネル掘進、石油やガス井戸の掘削などの実際作業での様々な岩盤掘削機械の使用に伴い、硬岩破砕技術に対するより高い要求と新しい課題が提起されている。機械的な岩石の破砕は、断片化が大きく、操作効率が高いという利点があり、鉱業、建設工学、資源探査で広く使用されている。しかしながら、従来の機器は、硬岩掘進の工事中においてカッターの摩耗が大きくなり、信頼性と作業効率が低下する問題がある。そこで、硬岩の効率的な破砕をいかに実現するかは喫緊の課題となり、硬岩の効率的な破砕を実現するための新しい破砕方法の検討が急務となっている。これは、効率的な鉱山採掘、効率的なトンネル掘進、さらには中国でのエネルギー資源の効率的な開発の実現にとって非常に重要である。従来では、硬岩の機械的破壊は主に機械的駆動力を増加させることによって達成されており、機械的カッターの岩石破壊能力は変化しなかった。動力を上げるだけでは、岩盤破砕機構の摩耗が大きくなり、作業面の粉塵が多くなり、機械の岩盤破砕効率を効果的に向上させることが難しく、隠れた安全性のリスクが高まる恐れがある。
【発明の概要】
【発明が解決しようとする課題】
【０００３】
上記の技術的欠点に対して、本発明は、坑道又はトンネルの工事に硬岩が存在する場合においても、深刻な機器摩耗、低岩石破砕効率、及び大量の粉塵の問題を解決でき、硬岩坑道の安全で効率的かつ低コストの掘進を達成できるホブが主動回転可能な硬岩坑道トンネル掘進機を提供することを目的とする。
【課題を解決するための手段】
【０００４】
上記目的を達成するための本発明に係るホブが主動回転可能な硬岩坑道トンネル掘進機は、履帯走行装置が設けられたフレームを含み、前記フレームには油圧ポンプステーション及びそれに接続された高圧研磨材ジェット発生システムが設けられ、前記フレームの一端には伝動箱が固定して設けられ、前記伝動箱の両側にはそれぞれ２つの入力軸及び１つの出力軸が設けられ、前記入力軸には遊星減速歯車が接続され、前記遊星減速歯車の入力端にはカンチレバー盤駆動モータが接続され、前記出力軸にはカンチレバー盤が固定され、前記カンチレバー盤には４つのカンチレバーがヒンジ接続され、前記カンチレバー盤には前記カンチレバーの回転角度を制御するカンチレバー駆動モータがさらに設けられ、前記カンチレバーの前記カンチレバー盤から離間した一端には主動回転ホブ装置が設けられ、前記伝動箱には回転シール装置がさらに設けられ、前記回転シール装置は、前記油圧ポンプステーション、前記高圧研磨材ジェット発生システムにそれぞれ管路を介して接続され、前記カンチレバー盤駆動モータは前記油圧ポンプステーションに管路を介して接続され、前記主動回転ホブ装置及び前記カンチレバー駆動モータは、それぞれ前記伝動箱に管路を介して接続されている。
【０００５】
好ましくは、前記回転シール装置は、第２ハウジングと、第２ハウジングに適合したシール軸を含み、前記第２ハウジングには作動油入口、作動油戻し口、及び第１高圧研磨材液体入口が設けられ、前記シール軸には前記作動油入口に連通する第１給油流路、前記作動油戻し口に連通する第１油戻し流路、及び前記第１高圧研磨材液体入口に連通する第１研磨材液体流路がそれぞれ設けられ、前記作動油入口及び前記作動油戻し口は、前記油圧ポンプステーションに接続され、前記第１高圧研磨材液体入口は、前記高圧研磨材ジェット発生システムに接続される。前記シール軸には前記第１給油流路、前記第１油戻し流路及び前記第１研磨材液体流路を隔離する複数の第１シールリングが設けられている。
【０００６】
好ましくは、前記伝動箱は、第１ハウジングと、前記第１ハウジング内に設けられた伝動歯車とを含み、前記入力軸は、前記伝動歯車を介して前記出力軸に伝動接続され、前記出力軸内に前記第１給油流路に連接する第２給油流路、前記第１油戻し流路に連通する第２油戻し流路、及び前記第１研磨材液体流路に連通する第２研磨材液体流路がそれぞれ設けられ、前記第１ハウジングは、前記第２ハウジングに固定接続され、前記出力軸は、前記シール軸に固定接続されている。
【０００７】
好ましくは、前記主動回転ホブ装置は、二重延出軸が設けられた駆動モータを含み、前記駆動モータは前記カンチレバーに固定され、前記二重延出軸の前延出端にホブが接続され、前記二重延出軸の後延出端に第２シールリングが設けられ、シールハウジングによりシールされ、前記シールハウジングは、前記駆動モータに固定され、前記駆動モータの油入・戻し口は、ホースを介して前記第２給油流路及び前記第２油戻し流路にそれぞれ連通し、前記二重延出軸内に第３研磨材液体流路が設けられ、前記ホブ及び前記シールハウジングにそれぞれ前記第３研磨材液体流路に連通する第４研磨材液体流路及び第２高圧研磨材液体入口が設けられ、前記第２高圧研磨材液体入口は、ホースを介して前記第２研磨材液体流路に連通し、前記ホブの外縁には複数のノズルが設けられ、前記ノズルは、前記第４研磨材液体流路に連通している。
【０００８】
好ましくは、前記ホブの中心軸線と前記カンチレバー盤の中心軸線との夾角は１５°〜３０°である。
【０００９】
好ましくは、前記第１シールリング及び前記第２シールリングの材料は、いずれもポリテトラフルオロエチレンである。
【００１０】
好ましくは、前記履帯走行装置は、油圧ポンプステーションの高圧油により駆動される。
【発明の効果】
【００１１】
本発明の有益な効果は以下の通りである。本発明の掘進機が動作する際に、主動回転ホブ装置に取り付けられたノズルから高速研磨材ジェットを吐出することで、事前にホブと岩石の接触箇所でギャップを作り、次いでホブにより切削して岩石を破砕し、岩石の低引張強度を利用して岩石の効率的な切断と破砕を達成し、ホブの岩石破砕難易度を大幅に低減し、硬岩の破砕効率を向上させるとともに、硬岩坑道及びトンネルの効率的な掘進に対して非常に重要である。
【図面の簡単な説明】
【００１２】
本発明の実施例又は従来技術の技術手段をより明確に説明するために、以下、実施例又は従来技術の説明に必要な図面を簡単に説明する。以下の図面は、本発明のいくつかの実施例だけであり、当業者であれば、創造的努力をすることなくこれらの図面に基づいて他の図面を得ることができる。
【００１３】
【図１】本発明の実施例に係るホブが主動回転可能な硬岩坑道トンネル掘進機の構造模式図である。
【図２】本発明の実施例に係る伝動箱の断面図である。
【図３】本発明の実施例に係る回転シール装置の断面図である。
【図４】本発明の実施例に係る主動回転ホブ装置の断面図である。
【図５】油圧ポンプステーション、高圧研磨材ジェット発生システム、カンチレバー盤駆動モータ、伝動箱、カンチレバー駆動モータ及び主動回転ホブ装置の管路接続を示す概略図である。
【発明を実施するための形態】
【００１４】
以下、本発明の実施例における図面を参照しながら本発明の実施例の技術手段を明確、完全に説明する。明らかなように、以下説明する実施例は本発明の実施例の一部だけであり、全ての実施例ではない。本発明の実施例に基づいて、当業者が創造的努力をすることなく得られる全ての他の実施例は、いずれも本発明の保護範囲に含まれる。
【００１５】
図１に示すように、ホブが主動回転可能な硬岩坑道トンネル掘進機は、履帯走行装置１が設けられたフレーム２を含み、前記フレーム２に油圧ポンプステーション３及びそれに接続された高圧研磨材ジェット発生システム４が設けられ、前記フレーム２の一端に伝動箱７が固定して設けられ、前記伝動箱７の両側にはそれぞれ２つの入力軸７−２及び１つの出力軸７−４が設けられ、前記入力軸７−２には遊星減速歯車６が接続され、前記遊星減速歯車６の入力端にはカンチレバー盤駆動モータ５が接続され、前記出力軸７−４にはカンチレバー盤８が固定され、前記カンチレバー盤８には４つのカンチレバー９がヒンジ接続され、前記カンチレバー盤８には前記カンチレバー９の回転角度を制御するカンチレバー駆動モータ１０がさらに設けられ、前記カンチレバー９の前記カンチレバー盤８から離間した一端には主動回転ホブ装置１１が設けられ、前記伝動箱７には回転シール装置１２がさらに設けられる。図５に示すように、前記回転シール装置１２は、前記油圧ポンプステーション３、前記高圧研磨材ジェット発生システム４にそれぞれ管路を介して接続され、前記カンチレバー盤駆動モータ５は前記油圧ポンプステーション３に管路を介して接続され、前記主動回転ホブ装置１１及び前記カンチレバー駆動モータ１０は、それぞれ前記伝動箱７に管路を介して接続される。
【００１６】
図１、図３に示すように、前記回転シール装置１２は、第２ハウジング１２−１と、第２ハウジング１２−１に適合したシール軸１２−２を含み、前記第２ハウジング１２−１には作動油入口１２−１−１、作動油戻し口１２−１−２、及び第１高圧研磨材液体入口１２−１−３が設けられ、前記シール軸１２−２には前記作動油入口１２−１−１に連通する第１給油流路１２−２−１、前記作動油戻し口１２−１−２に連通する第１油戻し流路１２−２−２、及び前記第１高圧研磨材液体入口１２−１−３に連通する第１研磨材液体流路１２−２−３がそれぞれ設けられ、前記作動油入口１２−１−１及び前記作動油戻し口１２−１−２は、前記油圧ポンプステーション３に接続され、前記第１高圧研磨材液体入口１２−１−３は、前記高圧研磨材ジェット発生システム４に接続される。前記シール軸１２−２には前記第１給油流路１２−２−１、前記第１油戻し流路１２−２−２及び前記第１研磨材液体流路１２−２−３を隔離する複数の第１シールリング１２−３が設けられる。
【００１７】
図１、図２に示すように、前記伝動箱７は、第１ハウジング７−１と、前記第１ハウジング７−１内に設けられた伝動歯車７−３とを含み、前記入力軸７−２は、前記伝動歯車７−３を介して前記出力軸７−４に伝動接続され、前記出力軸７−４内に前記第１給油流路１２−２−１に連接する第２給油流路７−４−１、前記第１油戻し流路１２−２−２に連通する第２油戻し流路７−４−２、及び前記第１研磨材液体流路１２−２−３に連通する第２研磨材液体流路７−４−３がそれぞれ設けられ、前記第１ハウジング７−１は、前記第２ハウジング１２−１に固定接続され、前記出力軸７−４は、前記シール軸１２−２に固定接続される。
【００１８】
図１、図４に示すように、前記主動回転ホブ装置１１は、二重延出軸１１−３が設けられた駆動モータ１１−１を含み、前記駆動モータ１１−１は前記カンチレバー９に固定され、前記二重延出軸１１−３の前延出端１１−４にホブ１１−５が接続され、前記二重延出軸１１−３の後延出端１１−６に第２シールリング１１−１１が設けられ、シールハウジング１１−７によりシールされ、前記シールハウジング１１−７は、前記駆動モータ１１−１に固定され、前記駆動モータ１１−１の油入・戻し口は、ホースを介して前記第２給油流路７−４−１及び前記第２油戻し流路７−４−２にそれぞれ連通し、前記二重延出軸１１−３内に第３研磨材液体流路１１−８が設けられ、前記ホブ１１−５及び前記シールハウジング１１−７にそれぞれ前記第３研磨材液体流路１１−８に連通する第４研磨材液体流路１１−９及び第２高圧研磨材液体入口１１−２が設けられ、前記第２高圧研磨材液体入口１１−２は、ホースを介して前記第２研磨材液体流路７−４−３に連通し、前記ホブ１１−５の外縁には複数のノズル１１−１０が設けられ、前記ノズル１１−１０は、前記第４研磨材液体流路１１−９に連通する。
【００１９】
前記ホブ１１−５の中心軸線と前記カンチレバー盤８の中心軸線との夾角は１５°−３０°である。
【００２０】
前記第１シールリング１２−３及び前記第２シールリング１１−１１の材料はいずれもポリテトラフルオロエチレンである。
【００２１】
前記履帯走行装置１は、油圧ポンプステーション３の高圧油により駆動される。
【００２２】
動作時に、油圧ポンプステーション３は、高圧油を履帯走行装置１に供給し、掘進機を推進又は移動させる。油圧ポンプステーション３は、さらにカンチレバー盤駆動モータ５及び回転シール装置１２にも高圧油を提供する。高圧油は、回転シール装置１２の作動油入口１２−１−１からシール軸１２−２の第１給油流路１２−２−１、伝動箱７の出力軸７−４の第２給油流路７−４−１及びホースを経てカンチレバー駆動モータ１０及び駆動モータ１１−１に伝達され、カンチレバー駆動モータ１０にカンチレバー９の揺動角度を制御させる。カンチレバー盤駆動モータ５は、遊星減速歯車６及び伝動箱７によりカンチレバー盤８を回転させる。ホブ１１−５は、駆動モータ１１−１の作用下で主動回転する。カンチレバー駆動モータ１０がカンチレバー９をロックしている場合、カンチレバー盤８、駆動モータ１１−１及び履帯走行装置１は同時に動作し、カンチレバー盤８とホブ１１−５を同時に回転させることで、掘進と岩の破壊を達成することができる。カンチレバー駆動モータ１０は、坑道トンネルの端面のサイズに応じてカンチレバー９の姿勢を調整することができる。主動回転ホブ装置１１が動作する際に、ホブ１１−５自体は回転切削して岩を破壊し、さらに、カンチレバー盤８の回転を前提とした坑道トンネルの作業面の岩体に対する機械的切削、破砕を実現する。
【００２３】
高圧研磨材ジェット発生システム４に通電した後、高圧研磨材液体が形成され、回転シール装置１２の第１高圧研磨材液体入口１２−１−３を通過し、順に第１研磨材液体流路１２−２−３、伝動箱７における出力軸７−４の第２研磨材液体流路７−４−３、第２高圧研磨材液体入口１１−２、第３研磨材液体流路１１−８、第４研磨材液体流路１１−９を経て最後にノズル１１−１０により高速研磨材ジェットが形成される。ホブが岩を切削する途中において先行して岩石にギャップを形成することで主動回転ホブ装置１１の岩石破砕を補助し、主動回転ホブ装置１１による硬岩の切削、破砕を容易にし、硬岩坑道の掘進効率を向上させる。
【００２４】
当業者は、本発明の趣旨と範囲から逸脱しない限り、本発明に種々の修正及び変形を行うことができる。本発明に加えたこれらの修正と変更が本発明の特許請求の範囲及び同等の技術範囲内に含まれる場合、本発明は、これらの修正と変形を含むことを意図する。
【符号の説明】
【００２５】
１  履帯走行装置、
２  フレーム、
３  油圧ポンプステーション、
４  高圧研磨材ジェット発生システム、
５  カンチレバー盤駆動モータ、
６  遊星減速歯車、
７  伝動箱、
７−１  第１ハウジング、
７−２  入力軸、
７−３  伝動歯車、
７−４  出力軸、
７−４−１  第２給油流路、
７−４−２  第２油戻し流路、
７−４−３  第２研磨材液体流路、
８  カンチレバー盤、
９  カンチレバー、
１０  カンチレバー駆動モータ、
１１  主動回転ホブ装置、
１１−１  駆動モータ、
１１−２  第２高圧研磨材液体入口、
１１−３  二重延出軸、
１１−４  前延出端、
１１−５  ホブ、
１１−６  后延出端、
１１−７  シールハウジング、
１１−８  第３研磨材液体流路、
１１−９  第４研磨材液体流路、
１１−１０  ノズル、
１１−１１  第２シールリング、
１２  回転シール装置、
１２−１  第２ハウジング、
１２−２  シール軸、
１２−３  第１シールリング、
１２−１−１  作動油入口、
１２−１−２  作動油戻し口、
１２−１−３  第１高圧研磨材液体入口、
１２−２−１  第１給油流路、
１２−２−２  第１油戻し流路、
１２−２−３  第１研磨材液体流路。
【図１】
2021515119.tif 000003
【図２】
2021515119.tif 000004
【図３】
2021515119.tif 000005
【図４】
2021515119.tif 000006
【図５】
2021515119.tif 000007
【国際調査報告】
2021515119.tif 000008
2021515119.tif 000009
2021515119.tif 000010
2021515119.tif 000011